(57)【要約】【課題】本発明は、簡単な構成により、一時的な大量のパチンコ玉の供給の際にも、貯留タンク内にパチンコ玉の滞留が生じないようにした、遊技島の玉循環回収装置を提供することを目的としている。【解決手段】貯留タンク１３は、長手方向に関して、下流側のメインタンク２０と、このメインタンク２０の上流側に順次に接続される複数のサブタンク３０，４０と、から構成され、メインタンク２０及び各サブタンク３０，４０は、底部に、案内口を設けた玉通路２３，３３を着脱可能に備え、サブタンク３０に備えた玉通路３３は、移動させて取り付けることが可能で、複数のサブタンク３０，４０のうちの上流側のサブタンク４０に備えた玉通路３３を移動させて取付けることにより、下流側のサブタンク３０に備えた玉通路３３の後端と、上流側のサブタンク４０に備えた玉通路３３の前端とが連続して一体的に連結される構成とした。【選択図】図２
2008161725.tif 000002
【特許請求の範囲】
【請求項１】
複数台のパチンコ遊技機が列設された遊技島の下部に設けられた少なくとも一つの貯留タンクと、
パチンコ玉を磨きながら上部タンクに揚送する揚送装置と、
揚送装置上部にある上部タンクからパチンコ玉を受けて、各パチンコ遊技機にパチンコ玉を供給する供給樋と、
各パチンコ遊技機から排出されたパチンコ玉を回収する回収樋と、
を含んでいる遊技島の玉循環回収装置において、
上記貯留タンクは、長手方向に関して、下流側のメインタンクと、
このメインタンクの上流側に順次に接続される複数のサブタンクと、
から構成され、
メインタンク及び各サブタンクは、底部に、案内口を設けた玉通路を着脱可能に備え、
サブタンクに備えた玉通路は、移動させて取り付けることが可能で、
前記複数のサブタンクのうちの上流側のサブタンクに備えた玉通路を移動させて取付けることにより、
下流側のサブタンクに備えた玉通路の後端と、上流側のサブタンクに備えた玉通路の前端とが連続して一体的に連結されることを特徴とする玉循環回収装置。
【発明の詳細な説明】
【技術分野】
【０００１】
本発明は、例えば複数台のパチンコ遊技機を一群に設置した遊技島において、各パチンコ遊技機から排出されるパチンコ玉を、遊技島の下部に備えられた貯留タンクで受けて、この貯留タンクから再び遊技島の上部に備えられた上部タンクに磨きながら揚送する、遊技島の玉循環回収装置に関するものである。
【背景技術】
【０００２】
従来、パチンコ遊技店においては、横方向に複数台、例えば２０台乃至５０台程度のパチンコ遊技台を直線状に設置することにより、いわゆる遊技島を構成している。そして、遊技島においては、一般的に約２０万発程度のパチンコ玉が使用されるようになっており、各パチンコ遊技機に対して上部からパチンコ玉を円滑に供給することが重要である。このため、遊技島の上部には上部タンク、下部には下部タンクとして貯留タンクを設けて、島内に玉を貯留させている。
【０００３】
このような遊技島の玉回収装置は、例えば遊技島の下部に配設された貯留タンクと、この貯留タンクの端部または中間部の玉排出部に設けられた循環リフトと、循環リフトから回収樋に揚送されたパチンコ玉を上方に磨きながら揚送する揚送装置と、揚送装置により揚送されたパチンコ玉を受けるために遊技島の上部に配設された上部タンクと、この上部タンクから各パチンコ遊技機や台間玉貸機に対してパチンコ玉を供給する供給樋と、上部タンクからの溢れ玉を貯留タンクに戻すためのオーバーフロー樋と、各パチンコ遊技機から排出されるパチンコ玉を回収する回収樋と、から構成されている。
【０００４】
上記貯留タンクは、その底面が玉排出部に向かってなだらかに下方に傾斜しており、貯留タンク内のパチンコ玉が傾斜に従って玉排出部に向かって転がるように構成されている。尚、貯留タンクには、例えば遊技島の端部に配設された計数機、オーバーフロー樋や各パチンコ遊技機からパチンコ玉が送られる。上記循環リフトは、貯留タンクの底面を転動して玉排出部から排出されるパチンコ玉を取り込んで回収樋にパチンコ玉を揚送し、回収樋から揚送装置に引き渡すようになっている。上記揚送装置は、循環リフトからパチンコ玉を回収樋を介して受けて、上方に向かってパチンコ玉を磨きながら揚送するように、例えばベルトコンベアにより構成されている。
【０００５】
上記上部タンクは、遊技島の上部に配設されており、揚送装置により揚送されるパチンコ玉を受け取る。上記供給樋は、上部タンクから各パチンコ遊技機や台間玉貸機の上部を島端に向かってなだらかに下方に傾斜しており、上部タンクから各パチンコ遊技機、台間玉貸機や計数機等に対してパチンコ玉を供給するようになっている。尚、上部タンクから供給樋を介して各パチンコ遊技機に供給されるパチンコ玉は、例えば各パチンコ遊技機における懸賞玉等として使用され、計数機においては返却余り玉として使用されている。上記オーバーフロー樋は、上部タンク内の玉が満杯になり、上部タンクより溢れてくる玉を、貯留タンクに戻すためにあって、供給樋と同様に島端に向かってなだらかに下方に傾斜している。
【発明の開示】
【発明が解決しようとする課題】
【０００６】
ところで、このような遊技島の玉循環回収装置においては、当該遊技島や他の遊技島からパチンコ玉の供給信号に基づいて、揚送装置が作動することにより、上部タンクから各パチンコ遊技機、台間玉貸機や計数機等に対してパチンコ玉が供給されるようになっている。しかしながら、例えば複数台のパチンコ遊技機において、大当たりが連続する等、一時的に大量のパチンコ玉の供給が必要になった場合、貯留タンクから循環リフトに流れ込むパチンコ玉が滞留を起こすことがあり、十分な量のパチンコ玉を供給することができなくなってしまうことがあった。これは、大量のパチンコ玉が貯留タンク内に貯留されると、貯留タンクの底面の傾斜に従って、すべてのパチンコ玉が玉排出部に向かって転動しようとするが、貯留タンクの底面に沿って位置するパチンコ玉に重量がかかることになり、貯留タンク内にて玉詰まりが発生することがあるためである。
【０００７】
本発明は、以上の点に鑑み、簡単な構成により、一時的な大量のパチンコ玉の供給の際にも、貯留タンク内にパチンコ玉の滞留が生じないようにした、遊技島の玉循環回収装置を提供することを目的としている。
【課題を解決するための手段】
【０００８】
上記目的は、本発明によれば、複数台のパチンコ遊技機が列設された遊技島の下部に設けられた少なくとも一つの貯留タンクと、パチンコ玉を磨きながら上部タンクに揚送する揚送装置と、揚送装置上部にある上部タンクからパチンコ玉を受けて、各パチンコ遊技機にパチンコ玉を供給する供給樋と、各パチンコ遊技機から排出されたパチンコ玉を回収する回収樋と、を含んでいる遊技島の玉循環回収装置において、上記貯留タンクは、長手方向に関して、下流側のメインタンクと、このメインタンクの上流側に順次に接続される複数のサブタンクと、から構成され、メインタンク及び各サブタンクは、底部に、案内口を設けた玉通路を着脱可能に備え、サブタンクに備えた玉通路は、移動させて取り付けることが可能で、前記複数のサブタンクのうちの上流側のサブタンクに備えた玉通路を移動させて取付けることにより、下流側のサブタンクに備えた玉通路の後端と、上流側のサブタンクに備えた玉通路の前端とが連続して一体的に連結されることを特徴とする玉循環回収装置により、達成される。
【発明の効果】
【０００９】
上記構成によれば、貯留タンクが、長手方向に関して、下流側のメインタンクと、このメインタンクの上流側に順次に接続されるサブタンクとから構成されており、遊技島の長さに合わせて、メインタンクに対して適宜の個数のサブタンクを接続することにより、この遊技島に最適な大きさの貯留タンクを構成することができる。さらに、貯留タンクが、底部に、連続した玉通路を備えていることにより、貯留タンク内に供給されたパチンコ玉は、玉通路の案内口から、玉通路内に進入し、玉通路内にて貯留タンクの底面を転動して、貯留タンクの玉排出部に達する。その際、玉通路内を転動するパチンコ玉には、その上方から貯留タンク内に供給されるパチンコ玉の重量が加えられないので、玉排出部まで進むことになり、玉詰まりが発生するようなことはない。従って、複数台のパチンコ遊技機において、大当たりが連続する等、一時的に大量のパチンコ玉の供給が必要になった場合でも、パチンコ玉が貯留タンク内で貯留するようなことがなく、円滑にパチンコ玉が供給されることになる。
【発明を実施するための最良の形態】
【００１０】
以下、図面に示した実施形態に基づいて、本発明を詳細に説明する。図１乃至図６は、本発明による遊技島の玉循環回収装置の一実施形態を示している。図１において、パチンコ遊技島１０は、複数台のパチンコ遊技機１１が並んで配設されており、本発明による玉循環回収装置１２が組み込まれている。
【００１１】
この玉循環回収装置１２は、揚送装置１５を中心に遊技島１０の下部に配設された左右二つの貯留タンク１３と、この貯留タンク１３の内側の端部の玉排出部２２に接続され、左右それぞれに設けられた循環リフト１４と、循環リフト１４から回収樋１３ａを介して供給されたパチンコ玉を上方に揚送する揚送装置１５と、揚送装置１５により揚送されたパチンコ玉を受けるために遊技島１０の上部に配設された上部タンク１６と、この上部タンク１６から各パチンコ遊技機１１に対してパチンコ玉を供給する左右の二つ供給樋１７及びオーバーフロー樋１８と、各パチンコ遊技機１１から排出されるパチンコ玉を回収する左右二つの回収樋１３ａと、から構成されている。
【００１２】
上記貯留タンク１３は、その床面２１が玉排出部２２に向かってなだらかに下方に傾斜しており、貯留タンク１３内のパチンコ玉が傾斜に従って玉排出部２２に向かって転がるように構成されている。貯留タンク１３には、例えば遊技島１０の端部に配設された計数機１９、オーバーフロー樋１８や各パチンコ遊技機１１からパチンコ玉が送られる。
【００１３】
上記循環リフト１４は、貯留タンク１３の床面２１を転動して玉排出部２２から排出されるパチンコ玉を取り込んで、パチンコ玉を回収樋１３ａを介して揚送装置１５に引き渡すようになっている。上記揚送装置１５は、循環リフト１４から揚送され、回収樋１３ａを介して供給されたパチンコ玉を受けて、パチンコ玉を磨きながら上方に向かって揚送するように、例えばベルトコンベアにより構成されている。
【００１４】
上記上部タンク１６は、遊技島１０の上部に配設されており、揚送装置１５により揚送されるパチンコ玉を受け取る。上記供給樋１７は、それぞれ上部タンク１６から各パチンコ遊技機１１や台間玉貸機５０の上部を島端に向かってなだらかに下方に傾斜しており、上部タンク１６から各パチンコ遊技機１１や台間玉貸機５０に対して、パチンコ玉を供給するようになっている。
【００１５】
以上の構成は、従来の玉循環回収装置とほぼ同様の構成であるが、本発明実施形態による玉循環回収装置１２においては、各貯留タンク１３が、以下のように構成されている点で異なる構成になっている。
【００１６】
図２（Ａ），（Ｂ）及び図３乃至図５に示すように、貯留タンク１３は、分割されて、メインタンク２０と、少なくとも一つ（図示の場合、二つ）のサブタンク３０，４０と、から構成されている。メインタンク２０は、後端が開放しており、その床面２１は、前述のように所定の傾斜角度で下流側（図２及び図３にて左側）に向かって下方に傾斜していると共に、前端面に、玉排出部２２を備えている。
【００１７】
また、メインタンク２０は、床面２１の長手方向中心に沿って、玉通路２３を備えている。この玉通路２３は、メインタンク２０の両側壁より内側に配設される側壁２３ａ，２３ｂと、メインタンク２０の床面２１からパチンコ玉の直径より僅かに高い高さを有する上壁２３ｃと、から構成されている。両側壁２３ａ，２３ｂの間隔は、複数列、例えば５列のパチンコ玉が通過し得る程度の幅に形成されていると共に、両側壁２３ａ，２３ｂとメインタンク２０の両側壁との間隔は、数列、例えば２列のパチンコ玉が通過し得る程度の幅に形成されている。
【００１８】
ここで、上記玉通路２３は、メインタンク２０の長手方向に対して、下流側の前端（図２及び図３にて左端）及び上流側の後端（図２及び図３にて右端）にて、それぞれ下流端案内口２３ｄ（図３参照），上流端案内口２３ｅ（図３及び図４参照）を備えるように、やや短く形成されている。即ち、玉通路２３の前端は、メインタンク２０の前端に対してやや後方に位置しており、また玉通路２３の後端は、メインタンク２０の後端に対してやや前方に位置している。また、上記玉通路２３は、メインタンク２０の長手方向の中央付近にて、両側壁２３ａ，２３ｂに、追加案内口２３ｆ（図２参照）を備えている。
【００１９】
さらに、上記玉通路２３は、上記下流端案内口２３ｄ及び上流端案内口２３ｅの領域にて、側壁２３ａ，２３ｂより幅方向に関して内側に配設された下流側導入ガイド壁２３ｇ及び上流側導入ガイド壁２３ｈを備えている。これらの導入ガイド壁２３ｇ，２３ｈは、それぞれ玉通路２３の上壁２３ｃの延長部分と一体に形成されている。下流側導入ガイド壁２３ｇは、その前端がメインタンク２０の前端よりやや後方まで延びていると共に、後端が下流端案内口２３ｄの後端より僅かに後方まで延びている。また、上流側導入ガイド壁２３ｈは、その後端がメインタンク２０の後端まで延びていると共に、前端が上流端案内口２３ｅの前端より前方まで延びている。
【００２０】
これに対して、サブタンク３０，４０は、ほぼ同じ構成であり、以下主としてサブタンク３０について説明し、異なる構成の部分のみサブタンク４０について説明する。サブタンク３０は、前端及び後端が開放しており、その床面３１は、メインタンクと同様に所定の傾斜角度で下流側（図２及び図４にて左側）に向かって下方に傾斜している。
【００２１】
また、サブタンク３０は、床面３１の長手方向中心に沿って、玉通路３３を備えており、この玉通路３３は、サブタンク３０の床面３１に対してフランジ部をネジ止めする等により着脱可能に構成されている。この玉通路３３は、サブタンク３０の両側壁より内側に配設される側壁３３ａ，３３ｂと、サブタンク３０の床面３１からパチンコ玉の直径より僅かに高い高さを有する上壁３３ｃと、から構成されている。両側壁３３ａ，３３ｂの間隔は、複数列、例えば５列のパチンコ玉が通過し得る程度の幅に形成されると共に、両側壁３３ａ，３３ｂとサブタンク３０の両側壁との間隔は、数列、例えば２列のパチンコ玉が通過し得る程度の幅に形成されている。
【００２２】
ここで、上記玉通路３３は、メインタンク２０と同様に、サブタンク３０の長手方向に対して、前端及び後端にて、それぞれ下流端案内口３３ｄ，上流端案内口３３ｅを備えるように、やや短く形成されている。また、上記玉通路３３は、サブタンク３０の長手方向の中央付近にて、両側壁３３ａ，３３ｂに、追加案内口３３ｆを備えている（図２参照）。
【００２３】
さらに、上記玉通路３３は、上記下流端案内口３３ｄ及び上流端案内口３３ｅの領域にて、側壁３３ａ，３３ｂより幅方向に関して内側に配設された下流側導入ガイド壁３３ｇ及び上流側導入ガイド壁３３ｈを備えている。これらの導入ガイド壁３３ｇ，３３ｈは、それぞれ玉通路３３の上壁３３ｃの延長部分と一体に形成されている。下流側導入ガイド壁３３ｇは、その前端がサブタンク３０の前端まで延びていると共に、後端が下流端案内口３３ｄの後端より僅かに後方まで延びている。また、上流側導入ガイド壁３３ｈは、その後端が玉通路３３の後端まで延びていると共に、前端が上流端案内口３３ｅの前端より前方まで延びている。
【００２４】
ここで、サブタンク４０は、サブタンク３０に対して、図４及び図５に示すように、玉通路３３を移動して、サブタンク４０の床面３１の前端寄りに取り付けられている点で異なる構成になっている。
【００２５】
このような構成のメインタンク２０及びサブタンク３０，４０は、図２及び図３乃至図５に示すように、長手方向に関して互いに接続される。即ち、メインタンク２０及びサブタンク３０は、図２乃至図４に示すように、メインタンク２０の後端に対して、サブタンク３０の前端が、突き合わされることにより整合し、そのフランジ部をネジ止めする等により固定保持されることにより、接続されるようになっている。その際、メインタンク２０の玉通路２３の上流側導入ガイド壁２３ｈの後端が、図３及び図４に示すように、サブタンク３０の玉通路３３の下流側導入ガイド壁３３ｇの前端と整合する。
【００２６】
これにより、メインタンク２０の玉通路２３及びサブタンク３０の玉通路３３が連続して一体的に連結され、またメインタンク２０の玉通路２３の上流側導入ガイド壁２３ｈ及びサブタンク３０の玉通路３３の下流側導入ガイド壁３３ｇが、連続して一体的に連結されると共に、メインタンク２０の玉通路２３の後端とサブタンク３０の玉通路３３の前端との間に、メインタンク２０の玉通路２３の上流端案内口２３ｅ及びサブタンク３０の玉通路３３の下流端案内口３３ｄにより、中間案内口２４が画成されるようになっている。
【００２７】
また、同様にして、サブタンク３０及びサブタンク４０は、図４及び図５に示すように、サブタンク３０の後端に対して、サブタンク４０の前端が、整合して固定保持されることにより、接続されるようになっている。その際、サブタンク３０の玉通路３３の上流側導入ガイド壁３３ｈの後端が、サブタンク４０の玉通路３３の下流側導入ガイド壁３３ｇの前端と整合する。
【００２８】
これにより、サブタンク３０の玉通路３３及びサブタンク４０の玉通路３３が連続して一体的に連結され、またサブタンク３０の玉通路３３の上流側導入ガイド壁３３ｈ及びサブタンク４０の玉通路３３の下流側導入ガイド壁３３ｇが、連続して一体的に連結されると共に、サブタンク３０の玉通路３３の後端とサブタンク４０の玉通路３３の前端との間に、サブタンク３０の玉通路３３の上流端案内口３３ｅ及びサブタンク４０の玉通路３３の下流端案内口３３ｄにより、中間案内口３４が画成されるようになっている。尚、サブタンク３０及びサブタンク４０は、ほぼ同じ構成であるから、それぞれの床面３１が連続した一体の傾斜面となるために、図２（Ａ）に示すように、上流側のサブタンク４０は、下流側のサブタンク３０と比較して、やや高い位置に設置されることになる。
【００２９】
ここで、上記メインタンク２０の玉通路２３の下流側の下流端案内口２３ｄ，中間案内口２４及びサブタンク４０の玉通路３３の上流側の上流端案内口３３ｅは、下流から上流に向かって順次に大きくなるように、長手方向の大きさが形成されている。
【００３０】
本発明実施形態による遊技島の玉循環回収装置１２は、以上のように構成されており、以下に示すように動作する。玉循環回収装置１０によれば、当該遊技島１０や他の遊技島からパチンコ玉の供給信号に基づいて、揚送装置１５が作動することにより、上部タンク１６から供給樋１７を介して各パチンコ遊技機１１台間玉貸機５０に対してパチンコ玉が供給される。
【００３１】
そして、各パチンコ遊技機１１または計数機１９から排出されるパチンコ玉は、貯留タンク１３内に送り込まれ、貯留タンク１３の傾斜した床面に沿って、下流側に向かって転動し、循環リフト１４から回収樋１３ａを介して揚送装置１５により、上部タンク１６に揚送されるようになっている。
【００３２】
ここで、上記貯留タンク１３は、その傾斜した床面を構成するメインタンク２０の床面２１及びサブタンク３０，４０の床面３１に、連続した玉通路２３，３３が設けられているので、貯留タンク１３内に供給されたパチンコ玉は、サブタンク４０の玉通路３３の上流端案内口３３ｅ，中間案内口２４及びメインタンク２０の玉通路２３の下流端案内口２３ｄから、玉通路３３，２３内に進入し、玉通路３３，２３内にてサブタンク４０，３０及びメインタンク２０の床面３１，２１に沿って転動して、貯留タンク１３の下流端の玉排出部２２に達する。
【００３３】
その際、玉通路３３，２３内を転動するパチンコ玉には、玉通路３３，２３の存在によって、その上方及び側方から貯留タンク１３内に供給されるパチンコ玉の重量が加えられないので、玉通路３３，２３内ではパチンコ玉は円滑に床面３１，２１に沿って転動して、玉排出部２２まで進むことになる。従って、貯留タンク１３内にて、パチンコ玉の玉詰まりが発生するようなことはない。
【００３４】
ここで、サブタンク４０の玉通路３３の上流端案内口３３ｅ，中間案内口２４及びメインタンク２０の玉通路２３の下流端案内口２３ｄが、玉通路２３，３３が上流側に向かって順次に大きくなるようになっているので、玉通路３３，２３の上流ほど、これらの案内口を介して玉通路３３，２３内にパチンコ玉が取り込まれやすく、さらにこれらの間に追加案内口２３ｆ，３３ｆが設けられていることにより、貯留タンク１３の長手方向に関して、より均一に玉通路３３，２３内にパチンコ玉が取り込まれやすくなっている。
【００３５】
また、サブタンク４０の玉通路３３の上流端案内口３３ｅ，中間案内口３４，２４及びメインタンク２０の玉通路２３の下流端案内口２３ｄから玉通路３３，２３内に進入したパチンコ玉は、その内側に配設された導入ガイド壁３３ｈ，３３ｇ，２３ｈ，２３ｇが存在することにより、玉通路３３，２３内で転動するパチンコ玉に直接当たることがなく、導入ガイド壁３３ｈ，３３ｇ，２３ｈ，２３ｇにより受け止められるので、玉通路３３，２３の導入ガイド壁３３ｈ，３３ｇ，２３ｈ，２３ｇ内を転動しているパチンコ玉の転動を妨げることがない。
【００３６】
このようにして、例えば複数台のパチンコ遊技機１１において、大当たりが連続する等、一時的に大量のパチンコ玉の供給が必要になった場合でも、パチンコ玉が貯留タンク１３内で滞留するようなことがなく、玉通路３３，２３を介して、玉排出部２２、循環リフト１４，回収樋１３ａ、そして揚送装置１５から上部タンク１６に対して、円滑にパチンコ玉が供給されることになる。
【００３７】
さらに、貯留タンク１３がメインタンク２０及びサブタンク３０，４０に分割されて構成されていることにより、遊技島１０の長手方向の長さに合わせて、メインタンク２０単体またはメインタンク２０と任意の個数のサブタンク３０を組み合わせて連続的に接続することにより、所望の長さの貯留タンク１３を容易に且つ低コストで提供することができる。
【００３８】
このようにして、本発明実施形態による遊技島の玉循環回収装置１２によれば、貯留タンク１３の床面に、玉通路２３，３３を設けることにより、貯留タンク１３内に多量のパチンコ玉が収容された場合であっても、上記玉通路３３，２３に沿って、パチンコ玉が円滑に転動することにより、玉排出部２２に常に十分なパチンコ玉が送り込まれることになる。
【００３９】
ここで、例えば図６に示すように、８万発のパチンコ玉が貯留タンク１３に供給されている場合には、符号Ａで示すように、貯留タンク１３内でパチンコ玉が分布しながら、パチンコ玉が貯留タンク１３内で滞留するようなことがなく、スムースに流れることになり、また１４万発のパチンコ玉が貯留タンク１３に供給された場合には、符号Ｂで示すように、貯留タンク１３内でパチンコ玉が分布しながら、さらに、２０万発のパチンコ玉が貯留タンク１３に供給された場合には、符号Ｃで示すように、貯留タンク１３内でパチンコ玉が分布しながら、これにより、２０万発程度の多量のパチンコ玉が貯留タンク１３内に供給された場合であっても、パチンコ玉が円滑に玉排出部２２に搬送され、循環リフト１４から回収樋１３ａを介して、揚送装置１５により上部タンク１６に対して、十分な量のパチンコ玉が供給されることになる。
【００４０】
上述した実施形態においては、メインタンク２０及びサブタンク３０，４０の玉通路２３，３３は、それぞれ長手方向中央付近にて、追加案内口２３ｆ，３３ｆを備えているが、この追加案内口２３ｆ，３３ｆは省略されてもよい。また、上述した実施形態においては、貯留タンク１３は、メインタンク２０と一つのサブタンク３０、またはメインタンク２０と二つのサブタンク３０，４０から構成されているが、これに限らず、貯留タンク１３は、遊技島１０の長さに対応して、メインタンク２０単体、あるいはメインタンク２０と少なくとも一つのサブタンク３０とから組合せ構成することができる。
【００４１】
以上述べたように、貯留タンクが、玉通路を備えていることにより、貯留タンク内に供給されたパチンコ玉は、玉通路の各案内口から、玉通路内に進入し、玉通路内にて貯留タンクの床面を傾斜に沿って転動して、貯留タンクの玉排出部に達する。その際、玉通路内を転動するパチンコ玉には、その上方から貯留タンク内に供給されるパチンコ玉の重量が加えられないので、玉通路内ではパチンコ玉は円滑に斜面に沿って転動して、玉排出部まで進むことになり、玉詰まりが発生するようなことはない。従って、複数台のパチンコ遊技機において、大当たりが連続する等、一時的に大量のパチンコ玉の供給が必要になった場合でも、パチンコ玉が貯留タンク内で滞留するようなことがなく、円滑にパチンコ玉が供給されることになる。
【００４２】
上記各案内口が、上流に向かって順次に大きくなるように、設けられている場合には、玉通路の上流側ほど、パチンコ玉が玉通路内に取り込まれやすくなっている。
【００４３】
上記玉通路が、各案内口の幅方向の内側に、導入ガイド壁を備えている場合には、各案内口にて、貯留タンク内に供給されたパチンコ玉が玉通路内に進入したとき、このパチンコ玉を導入ガイド壁で受け止めることにより、既に玉通路内を転動しているパチンコ玉の転動を妨げないようになっている。
【００４４】
上記貯留タンクが、長手方向に関して、下流側のメインタンクと、このメインタンクの上流側に順次に接続される少なくとも一つのサブタンクと、から構成されており、メインタンク及び各サブタンクが、上記玉通路を備えている場合には、遊技島の長さに合わせて、メインタンクに対して適宜の個数のサブタンクを接続することにより、この遊技島に最適な大きさで且つ玉通路を備えた貯留タンクを構成することができる。
【００４５】
メインタンク及び各サブタンクが、その玉通路の上流端に、上流側導入ガイド壁を備えており、各サブタンクが、その玉通路の下流端に、メインタンク及び各サブタンクの上流側導入ガイド壁に整合する下流側導入ガイド壁を備えている場合には、メインタンク及び各サブタンクを接続することにより、メインタンクまたは各サブタンクの上流側導入ガイド壁が、対応するサブタンクの下流側導入ガイド壁と整合した状態で接続されることになる。
【００４６】
玉通路が、着脱可能に取り付けられている場合には、上流側のサブタンクほど、サブタンクの前端寄りに玉通路を取り付けることにより、各サブタンクの玉通路間に画成される中間案内口の長手方向の大きさを適宜に調整することができる。
【００４７】
かくして、本発明によれば、簡単な構成により、一時的な大量のパチンコ玉の供給の際にも、貯留タンク内にパチンコ玉の滞留が生じないようにした、極めて優れた遊技島の玉循環回収装置が提供され得ることになる。
【図面の簡単な説明】
【００４８】
【図１】本発明による遊技島の玉循環回収装置の一実施形態の構成を示す概略側面図である。
【図２】図１のパチンコ玉循環回収装置における貯留タンクを示し、（Ａ）は縦断面図、及び（Ｂ）は横断面図である。
【図３】図２の貯留タンクにおけるメインタンクを示す概略拡大一部破断斜視図である。
【図４】図２の貯留タンクにおけるサブタンクを示す概略拡大一部破断斜視図である。
【図５】図２の貯留タンクにおける追加されたサブタンクを示す概略拡大一部破断斜視図である。
【図６】図２の貯留タンクにおける、パチンコ玉の収容状態を示す概略縦断面図である。
【符号の説明】
【００４９】
１０  パチンコ遊技島
１１  パチンコ遊技機
１２  玉循環回収装置
１３  貯留タンク
１３ａ  回収樋
１４  循環リフト
１５  揚送装置
１６  上部タンク
１７  供給樋
１８  オーバーフロー樋
１９  計数機
２０  メインタンク
２１  床面
２２  玉排出部
２３  玉通路
２３ｄ  下流端案内口
２３ｅ  上流端案内口
２３ｆ  追加案内口
２３ｇ  下流側導入ガイド壁
２３ｈ  上流側導入ガイド壁
２３ａ，２３ｂ，３３ａ，３３ｂ  側壁
２３ｃ，３３ｃ  上壁
２４，３４  中間案内口
３０，４０  サブタンク
３１  床面
３３  玉通路
３３ｄ  下流端案内口
３３ｅ  上流端案内口
３３ｆ  追加案内口
３３ｇ  下流側導入ガイド壁
３３ｈ  上流側導入ガイド壁
５０  台間玉貸機
【図１】
2008161725.tif 000003
【図２】
2008161725.tif 000004
【図３】
2008161725.tif 000005
【図４】
2008161725.tif 000006
【図５】
2008161725.tif 000007
【図６】
2008161725.tif 000008